(57)【特許請求の範囲】
【請求項１】
アラームを出力することが可能なアラーム部と、
体温計からアラーム停止信号を受信する受信部と、
前記アラーム部に対し、設定時刻にアラームを出力させ、前記アラーム停止信号に基づいて前記アラームを停止させる制御部と
を具備する電子機器。
【請求項２】
請求項１に記載の電子機器であって、
前記受信部は、前記体温計から第１のアラーム停止信号と第２のアラーム停止信号とを受信することが可能であり、
前記制御部は、前記受信部が前記第１のアラーム停止信号を受信した場合には、前記アラーム部のアラームを完全に停止させ、前記受信部が前記第２のアラーム停止信号を受信した場合には、所定時間経過後に前記アラーム部のアラームを再度出力させるように一時的にアラームを停止させる
電子機器。
【請求項３】
請求項１に記載の電子機器であって、
前記受信部は、前記アラーム停止信号を受信することが可能な第１の状態と、前記アラーム停止信号の受信を拒否する第２の状態とを有し、
前記制御部は、前記設定時刻に、前記受信部を前記第２の状態から前記第１の状態へ移行させる
電子機器。
【請求項４】
請求項１に記載の電子機器であって、
前記受信部は、前記アラーム停止信号を受信した後、前記体温計の所定の測定時間の経過時に前記体温計により出力された基礎体温データを受信する
電子機器。
【請求項５】
請求項４に記載の電子機器であって、
前記制御部は、前記アラーム停止信号を受信した後、前記所定の測定時間の経過時に前記基礎体温データを受信しないと判定した場合に、再度アラームを出力させる
電子機器。
【請求項６】
請求項４に記載の電子機器であって、
所定のコンテンツの複数の提示パターンを記憶する記憶部をさらに具備し、
前記制御部は、所定のコンテンツの複数の提示パターンのうちから、前記受信した基礎体温データに応じた提示パターンを選択して再生する
電子機器。
【請求項７】
請求項１に記載の電子機器であって、
前記受信部は、前記体温計から体温測定値の経時変化に関するデータを受信することが可能であり、
前記制御部は、前記受信された体温測定値の経時変化に基づいてユーザが体温測定中に就寝したか否かを判定し、就寝したと判定した場合にアラームを出力させる
電子機器。
【請求項８】
アラーム機能を有する電子機器のアラームを停止させる信号を出力する通信部
を具備する体温計。
【請求項９】
請求項８に記載の体温計であって、
ユーザの入力操作を受け付ける操作受付部と、
前記操作受付部からの入力操作に基づいて前記信号を生成する制御部と
をさらに具備する体温計。
【請求項１０】
請求項９に記載の体温計であって、
前記信号が生成された際に、体温の測定を開始する
体温計。
【請求項１１】
請求項９に記載の体温計であって、
測定された体温値を表示する表示部を含む正面と、前記正面に対向する背面と、前記正面と前記背面とに連接しユーザが体温測定中に把持することが可能な側面とを有する筐体をさらに具備し、
前記操作受付部は、前記側面に配置される
体温計。
【請求項１２】
請求項９に記載の体温計であって、
前記操作受付部は、第１の入力操作と、前記第１の入力操作とは異なる第２の入力操作とを受け付けることが可能に構成され、
前記制御部は、前記第１の入力操作に基づいて、前記アラームを完全に停止させる第１のアラーム停止信号を生成し、前記第２の入力操作に基づいて、所定時間経過後に再度アラームを発するように一時的に前記アラームを停止させる第２のアラーム停止信号を生成する
体温計。
【請求項１３】
請求項８に記載の体温計であって、
前記通信部は、所定の測定時間の経過時に、測定された基礎体温データを出力することが可能に構成される
体温計。
【請求項１４】
アラーム停止信号を出力可能な体温計と、
アラームを出力することが可能なアラーム部と、前記アラーム停止信号を受信する受信部と、前記アラーム部に対し、設定時刻に前記アラームを出力させ、前記アラーム停止信号に基づいて前記アラームを停止させる制御部とを有する電子機器と
を具備する体温管理システム。
【請求項１５】
ユーザの起床を促すアラームを設定時刻に出力させ、
ユーザの体温を測定する体温計からアラーム停止信号を受信し、
前記アラーム停止信号に基づいて前記アラームを停止させる
アラーム制御方法。
【請求項１６】
情報処理装置に、
ユーザの起床を促すアラームを設定時刻に出力させるステップと、
ユーザの体温を測定する体温計からアラーム停止信号を受信するステップと、
前記アラーム停止信号に基づいて前記アラームを停止させるステップと
を実行させるプログラム。
【発明の詳細な説明】
【技術分野】
【０００１】
本発明は、基礎体温データの信頼性を高めることが可能な電子機器、体温計、体温管理システム、アラーム制御方法及びプログラムに関する。
【背景技術】
【０００２】
従来より、女性の基礎体温を測定することが可能な基礎体温計が知られている（特許文献１参照）。基礎体温は、ホルモン分泌状態に起因して、高温相と低温相とが周期的に繰り返す２相性を有する。すなわち女性は、習慣的に基礎体温を測定することで、ホルモン分泌状態に起因する自身の身体状態を把握することが可能となる。このことから、近年、基礎体温データは、妊娠、避妊等の管理のみならず、ダイエット等の健康管理にも積極的に利用されている。【０００３】
一方で、信頼性の高い基礎体温データを取得するためには、毎日、ほぼ一定の時刻に基礎体温を測定する必要がある。このため、測定を忘れた日や、測定時間が大幅に異なる日があった場合には、信頼性の高い基礎体温データを取得できないという問題があった。そこで、例えば特許文献１には、アラーム機能を有する基礎体温計が記載されている。
【先行技術文献】
【特許文献】
【０００４】
【特許文献１】特開平１０−２８１８９１号公報
【発明の概要】
【発明が解決しようとする課題】
【０００５】
しかしながら、基礎体温計は、小型化の要請が強いため、装置構成の簡易なものが望まれ、表示部等のスペースも限られる。これにより、基礎体温計自体に、アラーム時刻の設定等の入力操作が容易で、かつスヌーズ機能等を有する多機能のアラーム装置を搭載することには限界があった。【０００６】
また、体温計とは別の機器にアラーム機能を搭載させた場合には、アラームの停止操作と体温の測定開始の操作とがリンクせず、体温測定の習慣化を促すことができないという問題もあった。【０００７】
以上のような事情に鑑み、本発明の目的は、体温測定の習慣化を促し、基礎体温データの信頼性を高めることが可能な電子機器、体温計、これらを含む体温管理システム、アラーム制御方法及びプログラムを提供することにある。
【課題を解決するための手段】
【０００８】
上述の課題を解決するため、本発明の一形態に係る電子機器は、アラーム部と、受信部と、制御部とを具備する。
上記アラーム部は、アラームを出力することが可能である。
上記受信部は、体温計からアラーム停止信号を受信する。
上記制御部は、上記アラーム部に対し、設定時刻にアラームを出力させ、上記アラーム停止信号に基づいて上記アラームを停止させる。【０００９】
上記電子機器は、ユーザの体温計に対する体温測定開始の操作や、アラーム停止の操作等に基づいて、アラームを停止することが可能となる。これにより、ユーザに対し、起床時に必然的に体温計を操作させることが可能となる。したがって、基礎体温の測定の習慣化を促し、信頼性の高い基礎体温等のデータを取得することが可能となる。【００１０】
上記受信部は、上記体温計から第１のアラーム停止信号と第２のアラーム停止信号とを受信することが可能であり、
上記制御部は、上記受信部が上記第１のアラーム停止信号を受信した場合には、上記アラーム部のアラームを完全に停止させ、上記受信部が上記第２のアラーム停止信号を受信した場合には、所定時間経過後に上記アラーム部のアラームを再度出力させるように一時的にアラームを停止させてもよい。
これにより、ユーザの再度の就寝を防止し、確実な起床を促すことができる。また、アラームを一時停止させた場合であっても、体温の測定を促すことが可能となる。【００１１】
上記受信部は、上記アラーム停止信号を受信することが可能な第１の状態と、上記アラーム停止信号の受信を拒否する第２の状態とを有し、
上記制御部は、上記設定時刻に、上記受信部を上記第２の状態から上記第１の状態へ移行させてもよい。
これにより、受信部を待機状態とする時間を制限でき、電子機器の省電力化に貢献できる。また、受信部の切替を自動で行うことができ、ユーザの利便性を高めることができる。【００１２】
上記受信部は、上記アラーム停止信号を受信した後、上記所定の測定時間の経過時に上記体温計により出力された基礎体温データを受信してもよい。
これにより、上記電子機器や上記電子機器と接続されるサーバ等で基礎体温データを管理でき、基礎体温データを利用したコンテンツの提供や、サービスの提供等が可能となる。また、ユーザが手動で基礎体温データを送信する手間を省き、ユーザの利便性を高めることができる。【００１３】
さらに、上記制御部は、上記アラーム停止信号を受信した後、所定時間の経過時に上記基礎体温データを受信しないと判定した場合に、再度アラームを出力させてもよい。
これにより、ユーザがアラームを停止して就寝してしまうことを防止し、確実に体温を測定させることが可能となる。【００１４】
また、上記電子機器は、所定のコンテンツの複数の提示パターンを記憶する記憶部をさらに具備し、
上記制御部は、所定のコンテンツの複数の提示パターンのうちから、上記受信した基礎体温データに応じた提示パターンを選択して再生してもよい。
これにより、ユーザに対し、測定時又は測定後の楽しみを提供することができる。したがって、測定後の再度の就寝を防止させ、かつユーザに測定を継続させるモチベーションを与えることが可能となる。【００１５】
また、上記受信部は、上記体温計から体温測定値の経時変化に関するデータを受信することが可能であり、
上記制御部は、上記受信された体温測定値の経時変化に基づいてユーザが体温測定中に就寝したか否かを判定し、就寝したと判定した場合にアラームを出力させてもよい。
これにより、体温測定時に必然的に取得される体温測定値を用いて、ユーザの就寝の有無を判定することができる。したがって、別個の構成を要することなく、ユーザの起床を促すことができる。また、不必要に長く体温の測定をすることを回避し、体温計のバッテリの省電力化に貢献できる。【００１６】
本発明の一形態に係る体温計は、アラーム機能を有する電子機器のアラームを停止させる信号を出力する通信部を具備する。
これにより、体温の測定時刻を管理することができ、基礎体温等のデータの信頼性を高めることが可能となる。また、アラーム機能を体温計とは別個の電子機器に配置することができるため、体温計の小型化に対応することができる。【００１７】
上記体温計は、
ユーザの入力操作を受け付ける操作受付部と、
上記操作受付部からの入力操作に基づいて上記信号を生成する制御部と
をさらに具備してもよい。
これにより、ユーザが起床時に体温計を確実に操作することが可能となる。したがって、測定忘れを防止し、基礎体温等のデータの信頼性を高めることができる。【００１８】
上記体温計は、上記信号が生成された際に、体温の測定を開始してもよい。
これにより、アラーム停止の操作が測定開始の操作を兼ねることができ、ユーザに対し確実に体温を測定させることができる。したがって、基礎体温等のデータの信頼性を高めることができる。【００１９】
また上記体温計は、測定された体温値を表示する表示部を含む正面と、上記正面に対向する背面と、上記正面と上記背面とに連接しユーザが体温測定中に把持することが可能な側面とを有する筐体をさらに具備し、
上記操作受付部は、上記側面に配置されてもよい。
これにより、ユーザの把持する部分に操作受付部が配置される。したがって、ユーザは、アラーム停止の操作後に体温計を持ち変えることなく、円滑に体温を測定することが可能となる。【００２０】
上記操作受付部は、第１の入力操作と、上記第１の入力操作とは異なる第２の入力操作とを受け付けることが可能に構成され、
上記制御部は、上記第１の入力操作に基づいて、上記アラームを完全に停止させる第１のアラーム停止信号を生成し、上記第２の入力操作に基づいて、所定時間経過後に再度アラームを発するように一時的に上記アラームを停止させる第２のアラーム停止信号を生成してもよい。【００２１】
また、上記通信部は、所定の測定時間の経過時に、測定された基礎体温データを出力することが可能に構成されてもよい。
これにより、ユーザによる基礎体温データを送信する操作の手間を省くことができ、ユーザの利便性を高めることができる。また、測定直後等に自動で基礎体温データを送信することができ、上記データを管理する情報処理装置等を、最新の基礎体温データでアップデートさせることができる。したがって、基礎体温データを用いたコンテンツやサービスを提供する際にも、より信頼性の高いデータに基づいてこれらを提供することができる。【００２２】
本発明の一形態に係る体温管理システムは、体温計と、電子機器とを具備する。
上記体温計は、アラーム停止信号を出力可能である。
上記電子機器は、アラーム部と、受信部と、制御部とを具備する。
上記アラーム部は、アラームを出力することが可能である。
上記受信部は、体温計からアラーム停止信号を受信する。
上記制御部は、上記アラーム部に対し、設定時刻にアラームを出力させ、上記アラーム停止信号に基づいて上記アラームを停止させる。【００２３】
本発明の一形態に係るアラーム制御方法は、ユーザの起床を促すアラームを設定時刻に出力させるステップを含む。
ユーザの体温を測定する体温計からアラーム停止信号が受信される。
上記アラーム停止信号に基づいて上記アラームが停止させられる。【００２４】
また、本発明の一形態に係るプログラムは、情報処理装置に、アラームを出力させるステップと、アラーム停止信号を受信するステップと、上記アラームを停止させるステップとを実行させる。
上記アラームを出力させるステップは、ユーザの起床を促すアラームを設定時刻に出力させる。
上記アラーム停止信号を受信するステップは、ユーザの体温を測定する体温計からアラーム停止信号を受信する。
上記アラームを停止させるステップは、上記アラーム停止信号に基づいて上記アラームを停止させる。【００２５】
【発明の効果】
【００２６】
以上のように、本発明によれば、体温測定の習慣化を促し、基礎体温データの信頼性を高めることが可能な電子機器、体温計、これらを含む体温管理システム、アラーム制御方法及びプログラムを提供することができる。
【図面の簡単な説明】
【００２７】
【図１】本発明の第１の実施形態に係る体温管理システムのネットワーク構成を示した図である。
【図２】本発明の第１の実施形態における体温計の外観構成を示す図である。
【図３】本発明の第１の実施形態における体温計のハードウェア構成を示したブロック図である。
【図４】本発明の第１の実施形態におけるユーザ端末（電子機器）のハードウェア構成を示したブロック図である。
【図５】本発明の第１の実施形態におけるサーバのハードウェア構成を示したブロック図である。
【図６】本発明の第１の実施形態におけるユーザ端末のソフトウェア構成を示したブロック図である。
【図７】本発明の第１の実施形態におけるユーザ端末の動作の流れを示したフローチャートである。
【図８】本発明の第２の実施形態におけるユーザ端末の動作の流れを示したフローチャートである。
【図９】本発明の第４の実施形態におけるユーザ端末の表示部における基礎体温の解析データ画像例である。
【図１０】本発明の第４の実施形態におけるユーザ端末に記憶されるデータベースの具体例を示した図である。
【図１１】本発明の第４の実施形態におけるユーザ端末の動作の流れを示したフローチャートである。
【発明を実施するための形態】
【００２８】
以下、本発明に係る実施形態を、図面を参照しながら説明する。
【００２９】
＜第１の実施形態＞
まず、本発明の第１の実施形態を説明する。
【００３０】
［体温管理システムの概要］
図１は、本実施形態に係る体温管理システムの概略構成を示した図である。
【００３１】
同図に示すように、この体温管理システム１は、体温計１００と、ユーザ端末（電子機器）２００と、インターネット５０上のサーバ３００とを有する。
【００３２】
体温計１００は、ユーザの基礎体温を測定することが可能な電子体温計であり、かつユーザの操作により、ユーザ端末２００のアラームを停止させることが可能に構成される。本実施形態において、体温計１００は、ユーザ端末２００がスヌーズモードに設定されている場合に、完全停止に対応する入力操作と、スヌーズ機能による仮停止に対応する入力操作が可能に構成される。
また体温計１００は、測定方法として、予測検温及び実測検温のいずれも可能な予測・実測式を採用している。体温計１００は、深部体温に近い口腔内の体温を測定する構成を採用するが、これに限定されず、例えば腋下や耳等の体温を測定可能な構成であってもよい。
また体温計１００は、予測検温を行う予測時間の経過時に、ユーザ端末２００へ測定した基礎体温データを自動で送信可能に構成される。なお、「経過時」とは、厳密に経過の時を示すものに限定されず、予測時間経過後、数秒程度を経過するまでの範囲を含む概念とする。
【００３３】
なお、「スヌーズ機能」とは、アラームを仮停止させた後、所定時間経過後に再度アラームを発する機能のことを示す。また「スヌーズモード」とは、ユーザ端末２００における、スヌーズ機能を発揮することが可能なモードを示す。
【００３４】
ユーザ端末２００は、アラーム機能を有する電子機器であり、具体的には、インターネット５０に接続可能なスマートフォン、携帯電話機、パーソナルコンピュータ、タブレット、又は携帯ゲーム機等の情報処理装置であり得る。
ユーザ端末２００は、体温計１００に対するユーザの操作によってアラームを停止する。本実施形態において、ユーザ端末２００は、スヌーズモードに設定されている際に、体温計１００に対するユーザの操作に応じて、完全停止と、スヌーズ機能による仮停止とが可能に構成される。
さらにユーザ端末２００は、インターネット５０を介してサーバ３００にアクセスし、体温計１００から受信した基礎体温データをサーバ３００へアップロードする。またユーザ端末２００は、サーバ３００によって処理された基礎体温の解析データを受信し、再生する。
【００３５】
サーバ３００は、ユーザ端末２００に対し、体温測定の際のアラーム機能や基礎体温の管理機能を有する体温管理アプリケーションを提供することが可能に構成される。またサーバ３００は、ユーザ端末２００から受信した基礎体温データの解析処理を行い、当該解析結果としてのグラフやアドバイス等をユーザ端末２００に対して送信可能に構成される。
【００３６】
［体温計の外観構成］
図２は、体温計１００の外観構成を示す図である。同図に示すように、体温計１００は、ユーザの口腔内に接触することが可能な感温部１１０と、筐体１２０とを有する。感温部１１０は、筐体１２０の先端に配置された金属製のキャップとして構成され、熱を集めて後述する測定部１０に伝達する。
【００３７】
筐体１２０は、正面１２１と、正面に対向する背面１２２と、側面１２３とを有する。
正面１２１は、体温値を表示する表示部１２が配置されている。
背面１２２は、正面１２１と対向する面である。
側面１２３は、正面１２１と背面１２２とに連接する面であり、ユーザが体温測定中に把持することが可能に構成される。側面１２３には、後述する操作受付部１３が配置される。側面１２３は、図２に例示するように複数の面を含んでもよく、あるいは１つの曲面で構成されてもよい。
【００３８】
次に、上記体温計１００のハードウェア構成について説明する。
【００３９】
［体温計のハードウェア構成］
図３は、上記体温計１００のハードウェア構成を示した図である。同図に示すように、体温計１００は、測定部１０、制御部１１、表示部１２、操作受付部１３、記憶部１４、通知部１５、通信部１６、及びこれらを互いに接続するバス１８を備える。
【００４０】
測定部１０は、ユーザの体温（基礎体温）の変化を電気信号に変換可能な温度センサとして構成される。具体的には、測定部１０は、３５℃〜３８℃の範囲で温度分解能が０．０５℃である半導体式の温度センサを採用することができる。測定部１０は、例えば、感温部１１０の内部に配置されている。
【００４１】
制御部１１は、ＣＰＵ（Central Processing Unit）１１１、ＲＯＭ（Read Only Memory）１１２、ＲＡＭ（Random Access Memory）１１３を有する。
ＣＰＵ１１１は、必要に応じてＲＡＭ１１３等に適宜アクセスし、各種演算処理を行いながら体温計１００の各ブロック全体を統括的に制御する。ＲＯＭ１１２は、ＣＰＵ１１１に実行させる体温値算出のためのプログラムなどのファームウェアが固定的に記憶されている不揮発性のメモリである。ＲＡＭ１１３は、ＣＰＵ１１１の作業用領域等として用いられ、処理中の各種データを一時的に保持する。
【００４２】
ＣＰＵ１１１は、本実施形態において、測定部１０において取得された体温変化に関する電気信号から、基礎体温値を算出し、当該基礎体温値を表示部１２に出力するとともに、基礎体温データを通信部１６に出力する。ＣＰＵ１１１は、予測検温及び実測検温のそれぞれの測定方法に応じた方法で基礎体温値を算出する。例えば予測検温のみ行った場合には、予測時間内に取得された電気信号の経時的な変化から、所定のアルゴリズムにより基礎体温値を算出する。また予測検温後に引き続き実測検温を行った場合には、実測時間経過後に取得された電気信号に対応する基礎体温値（実測値）を算出する。
【００４３】
なお本実施形態において「基礎体温データ」とは、算出された各基礎体温値が測定日時と関連付けられたデータを示すものとする。
【００４４】
さらにＣＰＵ１１１は、操作受付部１３からの入力操作に基づいて、アラームを停止させるためのアラーム停止信号を生成する。本実施形態においてＣＰＵ１１１は、アラーム停止信号として、完全停止信号（第１のアラーム停止信号）と、スヌーズ停止信号（第２の停止信号）とを生成する。完全停止信号は、操作受付部１３の第１の入力操作に基づいて生成され、ユーザ端末２００から発せられるアラームを完全に停止させる。スヌーズ停止信号は、操作受付部１３の第２の入力操作に基づいて生成され、所定時間経過後に再度アラームを発するように、ユーザ端末２００から発せられるアラームを一時的に停止させる。
【００４５】
表示部１２は、例えばＬＣＤ（Liquid Crystal Display）等を用いた表示デバイスであり、ＣＰＵ１１１により算出された基礎体温値等を表示する。
【００４６】
操作受付部１３は、例えば操作ボタン等で構成され、体温計１００に対するユーザの入力操作を受け付ける。操作受付部１３は、具体的には、ユーザ端末２００のアラームを停止させる入力操作と、体温計１００の起動及び停止（電源のオン・オフ）を指示する入力操作等とを受付可能に構成される。操作受付部１３が操作ボタンで構成される場合、当該操作ボタンは単数でもよいし、複数でもよい。単数の場合には、アラーム停止に係るボタンが体温計１００の起動／停止ボタンを兼ねる構成であってもよい。
【００４７】
さらに操作受付部１３は、本実施形態において、アラームを完全に停止させる第１の入力操作と、スヌーズ機能による仮停止に対応する第２の入力操作とを受け付ける。第１の入力操作は、例えば２秒以上のいわゆる長押し操作であってもよく、第２の入力操作は、例えば２秒未満の短時間の押圧操作であってもよい。
【００４８】
操作受付部１３は、本実施形態において、測定時においてユーザが把持することが可能な筐体１２０の側面１２３に配置されている（図２参照）。これによりユーザは、操作受付部１３を操作した後、体温計１００をそのまま把持して体温の測定を行うことが可能となる。
【００４９】
記憶部１４は、フラッシュメモリ（ＳＳＤ；Solid State Drive）、その他の固体メモリ等の不揮発性メモリである。記憶部１４には、測定されたユーザの基礎体温値を測定日時と関連付けて一時的に格納する。
【００５０】
通知部１５は、例えばブザー音を発するスピーカ等で構成される。通知部１５は、ユーザに対し、体温の測定終了等をブザー音で通知する。なお、通知部１５が発する音はブザー音に限定されず、音楽や音声でもよい。
【００５１】
通信部１６は、ユーザ端末２００と有線又は無線で接続可能な通信モジュールで構成される。通信部１６は、通信方式として、例えばBluetooth（登録商標）、ＮＦＣ（Near Field Communication）、赤外線通信等の機器間通信を採用することが可能である。
【００５２】
［ユーザ端末のハードウェア構成］
図４は、ユーザ端末２００のハードウェア構成を示した図である。同図に示すように、ユーザ端末２００は、制御部２１、表示部２２、操作受付部２３、記憶部２４、通知部（アラーム部）２５、近距離通信部（受信部）２６、ネットワーク通信部２７及びこれらを互いに接続するバス２８を備える。表示部２２、操作受付部２３、記憶部２４、通知部２５、近距離通信部２６、ネットワーク通信部２７等は、図示しない入出力インタフェースを介してバス２８に接続される。
【００５３】
制御部２１は、ＣＰＵ２１１、ＲＯＭ２１２、ＲＡＭ２１３を有する。
ＣＰＵ２１１は、必要に応じてＲＡＭ２１３等に適宜アクセスし、各種演算処理を行いながらユーザ端末２００の各ブロック全体を統括的に制御する。ＲＯＭ２１２は、ＣＰＵ２１１に実行させるＯＳ、プログラムや各種パラメータなどのファームウェアが固定的に記憶されている不揮発性のメモリである。ＲＡＭ２１３は、ＣＰＵ２１１の作業用領域等として用いられ、ＯＳ、実行中の各種アプリケーション、処理中の各種データを一時的に保持する。
【００５４】
表示部２２は、例えばＬＣＤ、ＯＥＬＤ（Organic ElectroLuminescence Display）等を用いた表示デバイスである。
【００５５】
操作受付部２３は、例えばキーボード、タッチパネル等の入力装置である。操作受付部２３がタッチパネルである場合、そのタッチパネルは表示部２２と一体となり得る。
【００５６】
記憶部２４は、例えばＨＤＤ（Hard Disk Drive）や、フラッシュメモリ（ＳＳＤ）、その他の固体メモリ等の不揮発性メモリである。当該記憶部２４には、上記ＯＳや各種アプリケーション、各種データが記憶される。
【００５７】
記憶部２４には、アラーム制御プログラムを含む体温管理アプリケーションが記憶されている。体温管理アプリケーションは、アラーム制御プログラムに従ってＣＰＵ２１１により実行されるアラーム機能や、サーバ３００によって解析された各種予測日、身体状態等を示すグラフや、当該解析結果に基づくアドバイス等を提示する機能を実装したものである。
【００５８】
体温管理アプリケーションのインストール方法としては、ネットワーク通信部２７を介してサーバ３００からダウンロードしてもよいし、ＣＤ（Compact Disc）やＤＶＤ（Digital Versatile Disc）などの記録媒体に記録されたものを、ユーザ端末２００の図示しないドライブ等を介してインストールしてもよい。あるいは、ユーザ端末２００にプリインストールされていてもよい。
【００５９】
通知部２５は、例えばスピーカや、振動を発するバイブレータ等で構成される。また本実施形態において、通知部２５は、アラーム部として機能する。
【００６０】
近距離通信部２６は、体温計１００と有線又は無線で接続可能な通信モジュールで構成される。近距離通信部２６は、本実施形態において「受信部」として機能する。近距離通信部２６は、通信方式として、例えばBluetooth（登録商標）、ＮＦＣ、赤外線通信等の無線の機器間通信を採用することが可能である。
【００６１】
近距離通信部２６は、本実施形態において、体温計１００からアラーム停止信号を受信することが可能な受信待機状態（第１の状態）と、アラーム停止信号の受信を拒否する受信拒否状態（第２の状態）とを有する。近距離通信部２６は、ユーザ端末１００がアラーム機能を発揮していない際は受信拒否状態に維持されるが、アラーム設定時刻となった際に、制御部２１により受信待機状態に移行されることで上記アラーム停止信号の受信が可能となる。
また近距離通信部２６は、アラーム停止信号として、第１及び第２のアラーム停止信号を受信することが可能に構成される。
【００６２】
ネットワーク通信部２７は、インターネット５０に有線又は無線で接続可能な通信モジュールで構成され、サーバ３００との間の通信処理を担う。ネットワーク通信部２７は、インターネット５０を介してサーバ３００にアクセスし、体温計１００から受信した基礎体温データをサーバ３００へアップロードする。なお、サーバ３００にアップロードされた基礎体温データには、例えばユーザ端末２００のユーザを識別するためのユーザＩＤ等が付加される。
【００６３】
［サーバのハードウェア構成］
図５は、上記サーバ３００のハードウェア構成を示した図である。同図に示すように、サーバ３００は、制御部３１、表示部３２、操作受付部３３、記憶部３４、通信部３７及びこれらを互いに接続するバス３８を備える。表示部３２、操作受付部３３、記憶部３４、通信部３７等は、図示しない入出力インタフェースを介してバス３８に接続される。
【００６４】
制御部３１は、ＣＰＵ３１１、ＲＯＭ３１２、ＲＡＭ３１３を有する。
ＣＰＵ３１１は、必要に応じてＲＡＭ３１３等に適宜アクセスし、各種演算処理を行いながらサーバ３００の各ブロック全体を統括的に制御する。ＲＯＭ３１２は、ＣＰＵ３１１に実行させるＯＳ、プログラムや各種パラメータなどのファームウェアが固定的に記憶されている不揮発性のメモリである。ＲＡＭ３１３は、ＣＰＵ３１１の作業用領域等として用いられ、ＯＳ、実行中の各種アプリケーション、処理中の各種データを一時的に保持する。
【００６５】
またＣＰＵ３１１は、記憶部３４に記憶された基礎体温データ解析プログラムに従って、ユーザ端末２００から受信した基礎体温データの解析処理を行ってもよい。例えばＣＰＵ３１１は、当該基礎体温データを解析処理することで、次回の排卵予測日及び月経開始予測日を算出する。さらにＣＰＵ３１１は、これらの算出結果に基づいて、所定の期間をユーザの身体状態等毎に区分してもよい。
ＣＰＵ３１１は、排卵予測日、月経開始予測日及び身体状態等の解析結果を示す解析データを生成する。この解析データは、解析結果を例えばカレンダやグラフで表すものであってもよい。
【００６６】
表示部３２は、例えばＬＣＤ、ＯＥＬＤ、ＣＲＴ（Cathode Ray Tube）等を用いた表示デバイスである。
【００６７】
操作受付部３３は、例えばマウス等のポインティングデバイス、キーボード、タッチパネル、その他の入力装置である。操作受付部３３がタッチパネルである場合、そのタッチパネルは表示部３２と一体となり得る。
【００６８】
記憶部３４は、例えばＨＤＤや、フラッシュメモリ（ＳＳＤ）、その他の固体メモリ等の不揮発性メモリである。当該記憶部３４には、上記ＯＳや各種アプリケーション、各種データが記憶される。
記憶部３４には、基礎体温データ解析プログラムが記憶される。記憶部３４はまた、ユーザ端末２００から送信された各ユーザの基礎体温データ、及び制御部３１によって処理された各ユーザの基礎体温データの解析結果を示す解析データを記憶する。またこれらのデータは、ユーザＩＤ等に対応付けてユーザ毎に記憶される。
【００６９】
通信部３７は、インターネット５０に接続するためのＮＩＣ等であり、ユーザ端末２００等との間の通信処理を担う。通信部３７は、制御部３１（ＣＰＵ３１１）によって処理された基礎体温の解析データを、ユーザ端末２００からの要求により、インターネット５０を介してユーザ端末２００へ送信する。また、解析データには、解析結果から生成された身体状態に関するアドバイス等の情報が含まれてもよい。
【００７０】
［ユーザ端末のソフトウェア構成］
図６は、ユーザ端末２００が有するソフトウェアモジュールを示した機能ブロック図である。当該ソフトウェアモジュールは、アラームの制御が可能な体温管理アプリケーションの機能として設けられる。体温管理アプリケーションは、上述のように記憶部２４に記憶されており、ＣＰＵ２１１によって実行される。
【００７１】
同図に示すように、ユーザ端末２００は、設定部２０１、タイマ部２０２、アラーム出力信号生成部２０３、受信制御部２０４、アラーム停止信号生成部２０５、及び表示制御部２０６を有する。
【００７２】
設定部２０１は、操作受付部２３を介して、アラームに関する各種設定を受け付ける。例えば設定部２０１は、アラームの設定時刻、スヌーズモードのオン・オフや、スヌーズ時間、スヌーズ回数、またアラームの継続時間等の設定を受け付けることが可能に構成される。設定時刻やスヌーズ時間の設定を受け付けた際には、設定部２０１は、タイマ部２０２に当該設定時刻等を通知する。
なおスヌーズ時間とは、スヌーズ機能による仮停止後、再度アラームを発するまでの時間である。またスヌーズ回数とは、仮停止と再アラームとを繰り返すことが可能な回数のことである。
【００７３】
また設定部２０１は、例えば、平日と休日、曜日毎に、複数の設定パターンを登録することが可能である。設定部２０１における各種設定内容は、記憶部２４に記憶される。
【００７４】
タイマ部２０２は、体温管理アプリケーションにおいて時刻を管理する。具体的には、タイマ部２０２は、ユーザが指定したアラームの設定時刻となった際に、アラーム出力信号生成部２０４に対してその旨を通知する。またタイマ部２０２は、スヌーズ機能による仮停止に対応する第２のアラーム停止信号を取得した場合には、当該信号の取得後スヌーズ時間が経過した時に、再度アラーム出力信号生成部２０４に対してその旨を通知する。
【００７５】
アラーム出力信号生成部２０３は、タイマ部２０２からアラームの設定時刻の通知を受けた際に、通知部２５に対しアラームを出力させる信号を生成する。また、タイマ部２０２からスヌーズ時間の通知を受けた際にも同様に、通知部２５に対しアラームを出力させる信号を生成する。
【００７６】
なおアラーム出力信号生成部２０３は、通知部２５に対し、１回目のアラーム時とスヌーズ機能による２回目以降のスヌーズ時とで同一の信号を出力してもよいし、異なる信号を出力してもよい。異なる信号を出力した場合には、通知部２５に対し、１回目のアラーム時とスヌーズ機能による２回目以降のアラーム時とで、出力される音のパターン等が異なるアラームを出力させることが可能となる。
【００７７】
受信制御部２０４は、近距離通信部２６におけるアラーム停止信号の受信状態を制御する。受信制御部２０４は、例えばアラームの出力時に、近距離通信部２６を受信拒否状態から受信待機状態に移行させるように制御することができる。
【００７８】
アラーム停止信号生成部２０５は、通知部２５に対し、近距離通信部２６が受信した体温計１００からの第１及び第２のアラーム停止信号に基づいて、通知部２５が発するアラームを停止させる。
【００７９】
表示制御部２０６は、表示部２２に表示させるための体温管理アプリケーションに関する画像データを生成する。当該画像データとしては、例えばアラーム設定画像のデータや、基礎体温の解析データのグラフ等が挙げられる。
【００８０】
［アラーム制御処理の動作例］
次に、以上のように構成されたユーザ端末２００の動作例について説明する。
【００８１】
図７は、本実施形態におけるユーザ端末２００が、体温測定時においてアラームを停止する動作の流れを示したフローチャートである。当該動作は、ユーザ端末２００の上記制御部２１の制御下において、他のハードウェアと、プログラム（ソフトウェア）との協働により実行される。以下の説明では、便宜上、ユーザ端末２００の制御部２１を動作主体とする。
【００８２】
まず、制御部２１は、ユーザの入力操作に基づいて、アラーム出力時刻の設定を受け付ける（ステップ１１）。本工程は、例えばユーザが基礎体温の測定を予定する日の前日の就寝時や、それ以前に行われる。また本工程に際し、制御部２１は、スヌーズモードの設定や、アラーム継続時間、スヌーズ回数やスヌーズ時間等の設定を受け付けてもよい。
【００８３】
制御部２１は、アラームの設定時刻か否か判定する（ステップ１２）。設定時刻でないと判定した場合は（ステップ１２でＮＯ）、再度設定時刻か否か判定する（ステップ１２）。
【００８４】
アラームの設定時刻であると判定した場合（ステップ１２でＹＥＳ）、制御部２１は、近距離通信部２６を受信待機状態に移行させ（ステップ１３）、アラーム出力信号を生成し、通知部２５にアラームを出力させる（ステップ１４）。
【００８５】
次に制御部２１は、体温計１００から、アラーム停止信号を受信したか否か判定する（ステップ１５）。受信していないと判定した場合は（ステップ１５でＮＯ）、ユーザの設定したアラーム継続時間を経過したか否か判定する（ステップ１６）。アラーム継続時間を経過していないと判定した場合（ステップ１６でＮｏ）、制御部２１は、アラームの出力を継続させつつ、アラーム停止信号を受信したか判定する（ステップ１５）。アラーム継続時間を経過したと判定した場合（ステップ１６でＹＥＳ）、制御部２１は、アラームを停止し（ステップ１７）、スヌーズモードに設定されているか否か判定する（ステップ１８）。スヌーズモードに設定されていない場合（ステップ１８でＮＯ）、制御部２１は、処理を終了する。
【００８６】
またスヌーズモードに設定されている場合（ステップ１８でＹＥＳ）、制御部２１は、スヌーズ時間が経過しているか否かを判定するステップ２２に進む。
【００８７】
一方、制御部２１は、アラーム停止信号を受信したと判定した場合（ステップ１５でＹＥＳ）、アラームを停止させ（ステップ１９）、当該アラーム停止信号が完全停止信号か、スヌーズ停止信号かを判定する（ステップ２０）。
【００８８】
完全停止信号と判定した場合には（ステップ２０で「完全停止信号」）、制御部２１は、処理を終了する。
【００８９】
一方、スヌーズ停止信号と判定した場合（ステップ２０で「スヌーズ停止信号」）、制御部２１は、当該処理の開始からスヌーズ停止信号を受信した回数がユーザの設定したスヌーズ回数よりも多いか否か判定する（ステップ２１）。受信回数がスヌーズ回数よりも多い場合には（ステップ２１でＹＥＳ）、制御部２１は、当該スヌーズ停止信号を完全停止信号と同様に取り扱い、処理を終了する。
【００９０】
スヌーズ停止信号の受信回数がスヌーズ回数以下の場合（ステップ２１でＮＯ）、制御部２１は、スヌーズ時間が経過したか否か判定する（ステップ２２）。経過していないと判定した場合は（ステップ２２でＮＯ）、再度、経過したか否か判定する（ステップ２２）。
【００９１】
スヌーズ時間が経過したと判定した場合（ステップ２２でＹＥＳ）、制御部２１は、アラーム出力信号を生成し、通知部２５に対しアラームを出力させるステップ１４へ進み、同様の処理を繰り返す。
【００９２】
なお制御部２１は、上記フローとは別に、所定の予測時間の経過時に、体温計１００から基礎体温データを受信したか否かを判定し、当該基礎体温データを受信した場合には、当該データをサーバ３００へ送信してもよい。
【００９３】
以上のように、本実施形態によれば、ユーザの体温計１００に対する入力操作によってユーザ端末２００のアラームを停止することができる。これによって、ユーザは、起床時のアラーム停止とともに、必然的に体温計１００を操作することとなる。したがって、基礎体温の測定の習慣化を促し、信頼性の高い基礎体温データを取得することが可能となる。
【００９４】
さらに、体温計１００とアラーム機能との連携は維持しつつ、アラーム機能をユーザ端末２００に搭載することができるため、体温計１００の装置構成を簡易なものとすることができる。したがって、ユーザの測定時の負担を軽減することが可能となる。また、ユーザ端末２００にアラーム機能を搭載することで、仮に体温計１００に搭載した場合と比較して、アラーム機能をより充実させることが可能となる。さらに、各種設定時の操作性も確保することができる。
【００９５】
また、本実施形態によれば、ユーザ端末２００がスヌーズ機能を有する。これにより、ユーザを起床させて体温を測定させる確実性を高めることができる。さらに、体温計１００の操作によりアラームの完全停止とスヌーズ停止とを選択することができる。これにより、スヌーズ機能によりアラームを仮停止させた場合であっても体温の測定を促すことが可能となる。
【００９６】
また、体温計１００の操作受付部１３は、ユーザが把持することが可能な側面１２３に配置される。これによりユーザは、操作受付部１３を操作した後、体温計１００をそのまま把持して体温の測定を行うことができる。さらに、アラームの停止操作が体温計１００の起動操作を兼ねることも可能である。したがって、起床後の体温測定の習慣化及び測定時刻の一定化を促し、より信頼性の高い基礎体温データを取得することが可能となる。
【００９７】
［変形例］
体温計１００の操作受付部１３は、側面１２３に配置される構成に限定されず、例えば正面１２１や背面１２２に配置されていてもよい。また、操作受付部１３が複数の操作ボタンで構成される場合、これらの操作ボタンの配置は特に限定されない。
【００９８】
また、体温計１００が、筐体１２０と係合し、筐体１２０の全部又は一部と感温部１１０とを覆うことが可能な蓋体（ケース）を有していてもよい。この場合には、当該蓋体を筐体１２０から外した場合に、体温計１００が起動し、かつアラーム停止信号を出力するように構成することができる。すなわち、体温計１００は、操作受付部１３を有さない構成とすることができる。これにより、アラームを停止する際に必然的に体温測定を促すこととなり、体温測定の習慣化に貢献することができる。また、蓋体により、口腔内に接触する感温部１１０を衛生的に維持することができる。
【００９９】
以上の実施形態においては、ユーザ端末２００の近距離通信部２６が受信待機状態と受信拒否状態とを有し、ユーザ端末２００の制御部２１がこれらの状態を制御すると説明したが、これに限定されない。例えば、近距離通信部２６は、体温計１００の通信部１６と例えば有線で接続され、常に受信可能に待機していてもよい。
【０１００】
以上の実施形態において、基礎体温の予測時間の経過時に、測定した基礎体温データをユーザ端末２００へ自動で送信可能に構成されると説明したが、これに限定されず、例えば実測時間の経過時に送信してもよい。あるいは、アラーム停止信号の受信後、所定時間（例えば１〜１０分程度）の経過後に測定した基礎体温データを送信するようにしてもよい。
【０１０１】
また、基礎体温データは、体温計１００からユーザ端末２００へ自動で送信される構成に限定されず、例えばユーザの所定の入力操作によって手動で送信されてもよい。この場合は、例えば体温計１００の操作受付部１３が、データ送信ボタンを含む構成としてもよい。
【０１０２】
また、アラームに関する各種設定の内容は、上記に限定されない。例えば、制御部２１（設定部２０１）は、スヌーズモードのオン・オフの切り替えを行わず、予めスヌーズモードがオンに設定されていてもよい。また、アラームの継続時間についても、予め設定されていてもよいし、アラーム停止信号を受信するまでアラームの出力を継続する設定とされてもよい。また、スヌーズ時間や、スヌーズ回数についても、予め設定されてもよい。
【０１０３】
さらに、以上の実施形態において、ユーザ端末２００が情報処理装置であると説明したが、これに限定されず、例えばアラーム機能とそれに付随する機能を有するアラーム装置や、その他の電子機器としてもよい。
【０１０４】
加えて、体温計１００は、基礎体温計に限定されず、発熱時や健康管理のために体温を測定する通常の体温計としてもよい。
【０１０５】
＜第２の実施形態＞
次に、本発明の第２の実施形態を説明する。本実施形態及びこれ以降の実施形態においては、上記第１の実施形態と同様の構成及び機能を有する点については説明を省略し、第１実施形態と異なる点について説明する。
【０１０６】
本実施形態においては、ユーザ端末２００の制御部２１が、アラーム停止信号を受信した後、所定の測定時間の経過時に基礎体温データを受信しないと判定した場合に、再度アラームを出力させることが可能に構成される点で、第１の実施形態と異なる。これにより、ユーザがアラームを停止させた後、体温の測定をせずに寝てしまった際に、再度の起床を促し、体温を測定させることが可能となる。
【０１０７】
本実施形態に係る体温計１００、ユーザ端末２００及びサーバ３００の構成は第１の実施形態と同様であるため、説明を省略する。以下、ユーザ端末２００の動作例について説明する。
【０１０８】
図８は、本実施形態におけるユーザ端末２００が、体温測定時においてアラームを停止した後、基礎体温データを受信しない場合に、再度アラームを出力させる動作の流れを示したフローチャートである。当該動作は、ユーザ端末２００の上記制御部２１の制御下において、他のハードウェアと、プログラム（ソフトウェア）との協働により実行される。以下の説明では、便宜上、ユーザ端末２００の制御部２１を動作主体とし、第１の実施形態と同様の内容は簡略化して説明する。また、本実施形態においては、スヌーズ機能はオフにされているものとして説明するが、オンにされていてもよく、その場合には上記第１の実施形態と同様の動作が実行される。
【０１０９】
まず、制御部２１は、ユーザにより、アラーム出力時刻等の設定を受け付ける（ステップ３１）。
【０１１０】
次に制御部２１は、アラームの設定時刻か否か判定する（ステップ３２）。設定時刻でないと判定した場合は（ステップ３２でＮＯ）、再度設定時刻か否か判定する（ステップ３２）。
【０１１１】
アラームの設定時刻であると判定した場合（ステップ３２でＹＥＳ）、制御部２１は、近距離通信部２６を受信待機状態に移行させ（ステップ３３）、アラーム出力信号を生成し、通知部２５にアラームを出力させる（ステップ３４）。
【０１１２】
次に制御部２１は、体温計１００から、アラーム停止信号を受信したか否か判定する（ステップ３５）。受信していないと判定した場合は（ステップ３５でＮＯ）、ユーザの設定したアラーム継続時間を経過したか否か判定する（ステップ３６）。アラーム継続時間を経過していないと判定した場合（ステップ３６でＮｏ）、制御部２１は、アラームの出力を継続させつつ、再度アラーム停止信号を受信したか判定する（ステップ３５）。アラーム継続時間を経過したと判定した場合（ステップ３６でＹＥＳ）、制御部２１は、アラームを停止し（ステップ３７）、次のステップ３８へ進む。
【０１１３】
また、制御部２１は、アラーム停止信号を受信したと判定した場合も（ステップ３５でＹＥＳ）、同様にアラームを停止させる（ステップ３７）。
【０１１４】
そして制御部２１は、アラーム停止信号を受信した後、所定の測定時間を経過したか否か判定する（ステップ３８）。本動作例において、所定の測定時間は、所定の予測時間とする。当該予測時間を経過していない場合は（ステップ３８でＮｏ）、制御部２１は、再度経過したか否か判定する（ステップ３８）。
【０１１５】
当該予測時間を経過したと判定した場合（ステップ３８でＹＥＳ）、制御部２１は、体温計１００から基礎体温データを受信したか否か判定する（ステップ３９）。受信していないと判定した場合は（ステップ３９でＮｏ）、アラームを出力するステップ３４へ進み、処理を繰り返す。
【０１１６】
一方、基礎体温データを受信したと判定した場合は（ステップ３９でＹＥＳ）、インターネット５０を介して基礎体温データをサーバ３００へ出力し（ステップ４０）、処理を終了する。
【０１１７】
以上のように、本実施形態によれば、アラームを停止した後、ユーザが就寝した場合であっても、ユーザに対し起床を促し、体温の測定を促すことができる。これにより、ユーザを確実に起床させ、基礎体温データを取得することが可能となる。したがって、基礎体温データの信頼性を高めることが可能となる。
【０１１８】
［変形例］
以上の実施形態においては、所定の測定時間を経過したと判定した場合に基礎体温データを受信したか否か判定したが、これに限定されない。例えば、アラーム停止信号を受信してから予測時間経過後の所定時間（例えば１分〜１０分程度）を経過したと判定した場合に、基礎体温データを受信したか否か判定することも可能である。これによっても、上記実施形態と同様の作用効果を得ることができる。
【０１１９】
また、上記実施形態において、所定の測定時間が予測時間であると説明したが、実測時間でもよい。
【０１２０】
＜第３の実施形態＞
次に、本発明の第３の実施形態を説明する。
【０１２１】
本実施形態においては、制御部２１が、体温測定値の経時変化に基づいてユーザが体温測定中に就寝したか否かを判定し、就寝したと判定した場合にアラームを出力させることが可能な点で上述の実施形態と異なる。これにより、ユーザが体温測定中に就寝してしまうことを防止することができる。
【０１２２】
また本実施形態において、近距離通信部２６は、体温計１００から、体温測定値の経時変化に関するデータを受信することが可能である。例えば、当該データは、基礎体温データと同時に受信してもよく、別に受信してもよい。
【０１２３】
具体的に、制御部２１は、予測時間の経過後実測時間までの間、測定値が継続的に上昇する場合に、ユーザが体温測定中に就寝したと判定することができる。
一般的なユーザは、短時間（例えば数十秒程度）で測定が終了する予測検温によって体温を測定するため、予測検温後に体温計１００の感温部１１０が身体から離れ、取得される測定値が低下する。一方で、予測時間の経過後も測定値が上昇する場合には、ユーザが予測時間経過後も体温の測定を継続しており、就寝している可能性が高いとして、上記判定を行う。
【０１２４】
また本実施形態においては、実測検温により体温を測定するユーザもいることを鑑みて、上記起床を促す通知を行うモード（二度寝防止モード）のオン・オフが可能な構成とすることもできる。
【０１２５】
以上のように、本実施形態によれば、ユーザが体温測定中に再度就寝してしまう事態を防止することができる。これにより、体温計１００のバッテリの消費を抑制するとともに、ユーザの起床を促すことができる。したがって、ユーザの利便性を高め、体温測定の習慣化を促すことが可能となる。
【０１２６】
［変形例］
以上の実施形態において、ユーザが就寝したか否かの判定は、体温測定値の経時変化に基づいて行うと説明したが、これに限定されない。例えば、ユーザに対し所定の周波数の電波を出力し、反射等された電波を受信することによって睡眠状態を測定し、ユーザが就寝したか否かを判定してもよいし、脳波等を測定することにより、当該判定をしてもよい。このような睡眠状態を測定する機能の全部又は一部は、ユーザ端末２００に搭載してもよいし、別の装置に搭載してもよい。
【０１２７】
また、以上の実施形態において、ユーザが就寝したか否かの判定は、体温計１００の制御部１１が行い、当該判定結果をユーザ端末２００に出力するようにしてもよい。これにより、ユーザ端末２００は、ユーザが就寝した旨の判定結果を受信した際に、アラームを出力することが可能となる。
【０１２８】
あるいは、ユーザ端末２００ではなく、体温計１００が起床を促す構成としてもよい。具体的には、体温計１００は、ユーザが就寝したと判定した場合に、通知部１５により起床を促すためのブザー音等を出力してもよい。これによっても、ユーザが体温測定中に就寝してしまうことを防止することができる。
【０１２９】
＜第４の実施形態＞
次に、本発明の第４の実施形態を説明する。
【０１３０】
本実施形態に係るユーザ端末２００は、第１の実施形態と同様にアラーム機能を有する電子機器であるが、さらに、体温測定中に、所定のコンテンツの複数の提示パターンのうちから、所定の提示パターンを選択して再生する点で異なる。
所定のコンテンツは、特に限定されないが、定期的に配信され、かつ女性に好まれる傾向のあるコンテンツを採用することができる。以下の説明においては、占いコンテンツの例を示す。
また所定の提示パターンの選択方法としては、サーバ３００によって処理された基礎体温の解析データの結果に基づいて、ユーザの基礎体温データに応じた提示パターンを選択することが可能である。
【０１３１】
サーバ３００は、第１の実施形態と同様に、ユーザ端末２００に対し体温管理アプリケーションを提供することが可能に構成され、かつユーザ端末２００から受信した基礎体温データの解析処理を行い、当該解析結果としてのグラフやアドバイス、ユーザの身体状態や心理状態等をユーザ端末２００に対して送信可能に構成される。
【０１３２】
サーバ３００の記憶部３４は、第１の実施形態と同様に、ユーザ端末２００から送信された各ユーザの基礎体温データ、及び各ユーザの基礎体温データの解析結果を示す解析データを記憶する。またこれらのデータは、例えばユーザＩＤに対応付けてユーザ毎に記憶される。
【０１３３】
サーバ３００の制御部３１（ＣＰＵ３１１）は、基礎体温データの解析処理を行う。具体的には、取得された基礎体温データから、次回の排卵予測日及び月経開始予測日を算出し、さらにこれらの算出結果に基づいて、ユーザの典型的な身体状態及び心理状態毎に所定の期間を区分する。区分対象の期間としては、既に基礎体温データを取得した期間に限定されず、排卵予測日や月経開始予測日等を予測可能な期間とすることができる。
また以下の説明において、区分された各期間を「区分期間」と称するものとする。
そして制御部３１は、月経開始予測日、排卵予測日や各区分期間等の解析結果を示す解析データを生成する。この解析データは、解析結果を例えばカレンダやグラフで表すものであってもよい。
【０１３４】
これにより、ユーザの心身の状態の把握や予測が容易になり、身体状態や心理状態に即したコンテンツの表示やアドバイス等が容易になる。
【０１３５】
これらの解析結果は、インターネット５０を介して、ユーザ端末２００にアップロードされ、ユーザ端末２００の記憶部２４に記憶される。これにより、ユーザ端末２００は、表示部３２を介して、受信した基礎体温の解析データを再生することが可能である。
【０１３６】
図９は、ユーザ端末２００の表示部２２に表示された、基礎体温の解析データ画像例であり、基礎体温値の経日変化を示すグラフを示す。また図９のグラフの横軸は日付を示し、縦軸は基礎体温値を示す。また太い実線は月経開始日、太い破線は排卵予測日を示す。本グラフを参照し、基礎体温値の経日変化の概要と、サーバ３００（制御部３１）によって決定される区分期間とについて説明する。
【０１３７】
図９に示すように、基礎体温データは、一般的に、ある月経開始日から次の月経開始日まで約２８日程度の周期性を有する。また当該データは二相性を示し、月経開始日から排卵日までが低温期、排卵日から次の月経開始日までが高温期となる。このような基礎体温値の周期的な変化は、ホルモン分泌の周期性に基づくものである。すなわち、基礎体温値の経日変化を把握することで、ホルモンの分泌状態に基づく身体状態や、心理状態等を把握することが可能となる。
また、基礎体温データを数周期分以上取得することで、基礎体温値が取得されていない日であっても、ユーザの身体状態や心理状態を予測することが可能となる。
【０１３８】
図９には、区分期間の例を記載している。例えば、第１の期間２２１は月経期であり、月経開始日から所定の日数（例えば７日）程度、第２の期間２２２は第１の期間２２１の経過後排卵予測日の前日まで、第３の期間２２３は排卵予測日から所定の日数（例えば７日）程度、第４の期間２２４は第３の期間２２３の経過後月経開始日の前日まで、とすることができる。各期間の一般的な身体状態及び心理状態としては、以下のとおりである。すなわち第１の期間２２１は、月経痛などにより心身ともに不調であり、第２の期間２２２は、心身ともに安定し好調であり、第３の期間２２３は、心身ともに不安定な傾向に転じ、第４の期間２２４は、さらに不安定な傾向が高まる。
なお、区分期間は上記に限定されない。例えば、上記に加えて妊娠可能性が高い期間を示す第５の期間を設定してもよい。あるいは、低温期と高温期の２つの期間としてもよい。
【０１３９】
上記区分期間は、図９に示すように、表示部２２を介して提示されてもよい。これにより、ユーザが自身の身体状態及び心理状態を把握することができる。また、例えば好調期である第２の期間等の一部のみ提示してもよいし、提示しなくてもよい。
【０１４０】
ユーザ端末２００の記憶部２４には、占いコンテンツの複数の提示パターンが、上記期間と紐付けられて記憶されている。図１０は、記憶部２４に記憶されている、提示パターンのデータベース例である。例えば、占いの結果Ａ，Ｂがあるとすれば、各結果毎に、第１〜第４の期間の心理状態に対応する提示パターンが記憶される。例えば、結果Ａに対して、Ａ−１、Ａ−２、Ａ−３、Ａ−４の４つの提示パターンが対応する。記憶部２４に記憶されたこれらの提示パターンは、いずれも、サーバ３００からインターネット５０を介してダウンロードされたものであってもよい。
【０１４１】
また、心理状態に対応する提示パターンとしては、例えば、測定日の占いの結果Ａが良い運勢を表す場合である際に、好調な第２の期間であれば、積極的な行動を促すようなコメントを表示し、不調な第４の期間であれば、ユーザの心理状態を鑑みて積極的な表現を控えたコメントを表示する。すなわち、ユーザが、不調な時期に受け入れがたい内容のコンテンツを提示され、不快な思いをすることを抑制できる。
【０１４２】
制御部２１は、体温測定中に、登録されたユーザの生年月日等から測定日における占いの結果を選択し、かつ当該結果に対応する提示パターンのうちから、測定日に属すると予測される区分期間に対応する提示パターンを選択し、表示部２４に出力する。これにより、ユーザに、体温測定中又は体温測定後に、選択された提示パターンによる占いの結果を提示することができる。
【０１４３】
以下、ユーザ端末２００の動作例について説明する。
【０１４４】
図１１は、本実施形態におけるユーザ端末２００が、体温測定時においてアラームを停止し、かつコンテンツを提示する動作の流れを示したフローチャートである。当該動作は、ユーザ端末２００の上記制御部２１の制御下において、他のハードウェアと、プログラム（ソフトウェア）との協働により実行される。以下の説明では、便宜上、ユーザ端末２００の制御部２１を動作主体とし、第１の実施形態と同様の内容は簡略化して説明する。また、本実施形態においては、スヌーズ機能はオフにされているものとして説明するが、オンにされていてもよく、その場合には上記第１の実施形態と同様の動作が実行される。
【０１４５】
まず、制御部２１は、ユーザにより、アラーム出力時刻等の設定を受け付ける（ステップ５１）。
【０１４６】
次に制御部２１は、アラームの設定時刻か否か判定する（ステップ５２）。設定時刻でないと判定した場合は（ステップ５２でＮＯ）、再度設定時刻か否か判定する（ステップ５２）。
【０１４７】
アラームの設定時刻であると判定した場合（ステップ５２でＹＥＳ）、制御部２１は、近距離通信部２６を受信待機状態に移行させ（ステップ５３）、アラーム出力信号を生成し、通知部２５にアラームを出力させる（ステップ５４）。
【０１４８】
次に制御部２１は、体温計１００から、アラーム停止信号を受信したか否か判定する（ステップ５５）。受信していないと判定した場合は（ステップ５５でＮＯ）、ユーザの設定したアラーム継続時間を経過したか否か判定する（ステップ５６）。アラーム継続時間を経過していないと判定した場合（ステップ５６でＮｏ）、制御部２１は、アラームの出力を継続させつつ、アラーム停止信号を受信したか判定する（ステップ５５）。アラーム継続時間を経過したと判定した場合（ステップ５６でＹＥＳ）、制御部２１は、アラームを停止させる（ステップ５７）。
【０１４９】
また、アラーム停止信号を受信したと判定した場合も（ステップ５５でＹＥＳ）、制御部２１はアラームを停止させる（ステップ５７）。
【０１５０】
そして、制御部２１は、コンテンツの提示パターンを選択する（ステップ５８）。提示パターンは、基礎体温データに基づいて、処理が実行されている日（以下、測定日とする）に予測されるユーザの心理状態に応じた内容が選択される。例えば、測定日においてユーザが第２の期間と予測され、かつ占いの結果がＡであったとした場合に、Ａ−２の提示パターンが選択される。また、心理状態の予測は、既に前日までに取得された基礎体温データの周期性に基づいて行うことが可能である。
【０１５１】
制御部２１は、選択された提示パターンのコンテンツを表示部２２に出力し（ステップ５９）、処理を終了する。
【０１５２】
なお制御部２１は、上記フローとは別に、所定の予測時間（又は実測時間）の経過時に、体温計１００から基礎体温データを受信したか否かを判定し、当該基礎体温データを受信した場合には、当該データをサーバ３００へ送信する。
【０１５３】
以上のように、本実施形態によれば、基礎体温の測定中、あるいは測定直後に、ユーザの身体状態や心理状態に即した内容のコンテンツを提示することができる。これにより、ユーザに対して測定の際の楽しみを提供し、測定を継続させるモチベーションを与えることが可能となる。また、測定後の再度の就寝を防止させることが可能となる。
【０１５４】
また、当該コンテンツがユーザの心理状態に基づいて選択されるため、ユーザに不快感を与えることを抑制し、コンテンツの購読の継続を促すことができる。これにより、コンテンツの再生による上記作用効果を一層高めることができる。
【０１５５】
さらに、所定の測定時間の経過時に、基礎体温データが体温計１００からユーザ端末２００へ自動で送信される。これにより、ユーザが基礎体温データを送信する操作を行う手間を省くことができ、ユーザの利便性を高めることができる。また、ユーザ端末２００は、サーバ３００の管理する基礎体温データを測定直後にアップデートすることができる。したがって、サーバ３００は、最新の基礎体温データを用いて身体状態や心理状態を予測することができ、より的確な内容のコンテンツを提供することが可能となる。
【０１５６】
［変形例］
サーバ３００からユーザ端末２００に対するコンテンツの配信は、定期的に行われることが可能である。例えば、サーバ３００がユーザ毎に測定日の占い結果を選択し、当該結果に対応する複数の提示パターンを毎日配信することができる。これにより、ユーザ端末２００の記憶部２４が記憶すべきデータの容量を低減することが可能となり、かつユーザに対し、より多様な内容のコンテンツを提示することが可能となる。
【０１５７】
また、コンテンツの提示パターンの選択処理は、ユーザ端末２００ではなくサーバ３００で実行されてもよい。この場合、コンテンツの提示パターンのデータベースは、ユーザ端末２００の記憶部２４に記憶されておらず、サーバ３００にのみ記憶されていてもよい。すなわち、サーバ３００が、アラーム停止時にユーザ端末２００から受信した基礎体温データを元にコンテンツを選択し、ユーザ端末２００へ当該コンテンツを配信して再生させてもよい。
【０１５８】
また、コンテンツの内容は、健康や美容に関するアドバイスでもよい。これにより、ユーザは、基礎体温データに基づく身体状態や心理状態に応じたアドバイスを取得することができる。
【０１５９】
また、コンテンツの再生は、測定中又は測定直後に限定されない。例えば、測定後、ユーザの活動に応じた時刻に所定のコンテンツを提示することも可能である。具体的には、昼食前の午前１１時頃に昼食に関するアドバイスを提示することも可能である。
【０１６０】
さらに、再生されるコンテンツは表示部２２に表示されるのみならず、例えばスピーカ（通知部２５）から音声データとして出力されてもよい。
【０１６１】
さらに、本発明は上述の実施形態にのみ限定されるものではなく、本開示の要旨を逸脱しない範囲内において種々変更され得る。また、上述の第１〜第４の各実施形態は、矛盾が生じない限り如何様にも組み合わされて実行され得る。
【符号の説明】
【０１６２】
１…体温管理システム
１００…体温計
１１…制御部
１３…操作受付部
１６…通信部
１２０…筐体
１２１…正面
１２２…背面
１２３…側面
２００…ユーザ端末（電子機器）
２１…制御部
２４…記憶部
２５…通知部（アラーム部）
２６…近距離通信部（受信部）
【要約】
電子機器は、アラーム部と、受信部と、制御部とを具備する。上記アラーム部は、アラームを出力することが可能である。上記受信部は、体温計からアラーム停止信号を受信する。上記制御部は、上記アラーム部に対し、設定時刻にアラームを出力させ、上記アラーム停止信号に基づいて上記アラームを停止させる。【図１】
0005386053.tif 000002
【図２】
0005386053.tif 000003
【図３】
0005386053.tif 000004
【図４】
0005386053.tif 000005
【図５】
0005386053.tif 000006
【図６】
0005386053.tif 000007
【図７】
0005386053.tif 000008
【図８】
0005386053.tif 000009
【図９】
0005386053.tif 000010
【図１０】
0005386053.tif 000011
【図１１】
0005386053.tif 000012